(57)【要約】【課題】新たな収納物を収納する際に収納物の消費期限等のデータを入力する必要がなく、より簡便な方法で在庫管理を行うことができる物品保存庫及び冷蔵庫を提供する。【解決手段】冷蔵庫１００において、収納判断手段（収納判断プログラム８４ｂ等）により、計測手段（重量検出部５）により計測された重量に基づいて、新たな収納物が収納部４に収納されたか否かを判断し、経過時間判断手段（経過日数判断プログラム８４ｄ等）により新たな収納物が収納部４に収納されたと判断されてからの経過時間が設定時間を超えたと判断した場合、第２判断手段（第２判断プログラム８４ｈ等）により卵の合計個数が設定個数より少ないと判断した場合、重量判断手段（重量判断プログラム８４ｉ等）により収納物の重量が設定重量範囲から外れたと判断した場合に、携帯電話機３００に対して所定の経過通知情報・変化通知情報を送信する。【選択図】図４
2007113818.tif 000002
【特許請求の範囲】
【請求項１】
端末装置と電気通信回線を介して接続される冷蔵庫において、
開閉自在な扉を有する冷蔵庫本体と、
前記冷蔵庫本体内に設けられ、卵を個別に収納する複数の個別収納部を有する卵収納部と、
前記個別収納部に設けられ、収納された卵の重量を計測する卵計測手段と、
前記卵計測手段により計測された重量に基づいて、新たな卵が前記個別収納部に収納されたか否かを判断する収納判断手段と、
前記収納判断手段により新たな卵が前記個別収納部に収納されたと判断されてからの経過時間を計時する計時手段と、
前記計時手段により計時された経過時間が予め設定された設定時間を超えたか否かを判断する経過時間判断手段と、
前記経過時間判断手段により、経過時間が予め設定された設定時間を超えたと判断された場合に、前記端末装置に対して所定の経過通知情報を送信する経過通知情報送信手段と、
前記扉の閉動を検出する扉閉動検出手段と、
前記扉閉動検出手段により、前記扉の閉動が検出されたときに、前記卵計測手段に重量を計測させる制御を行う計測制御手段と、
前記計測制御手段による制御によって、前記卵計測手段により計測された重量に基づいて、前記個別収納部毎の卵の有無を判断する第１判断手段と、
前記第１判断手段により判断された前記個別収納部毎の卵の有無に基づいて、前記卵収納部に収納されている卵の合計個数を算出する算出手段と、
前記算出手段により算出された卵の合計個数が予め設定された設定個数より少ないか否かを判断する第２判断手段と、
前記第２判断手段により、前記算出手段により算出された卵の合計個数が予め設定された設定個数より少ないと判断された場合に、前記端末装置に所定の変化通知情報を送信する変化通知情報送信手段と、
を備えることを特徴とする冷蔵庫。
【請求項２】
端末装置と電気通信回線を介して接続される冷蔵庫において、
開閉自在な扉を有する冷蔵庫本体と、
前記冷蔵庫本体内に設けられ、収納物を収納する収納部と、
前記収納部に設けられ、収納された収納物の重量を計測する計測手段と、
前記計測手段により計測された重量に基づいて、新たな収納物が前記収納部に収納されたか否かを判断する収納判断手段と、
前記収納判断手段により新たな収納物が前記収納部に収納されたと判断されてからの経過時間を計時する計時手段と、
前記計時手段により計時された経過時間が予め設定された設定時間を超えたか否かを判断する経過時間判断手段と、
前記経過時間判断手段により、経過時間が予め設定された設定時間を超えたと判断された場合に、前記端末装置に対して所定の経過通知情報を送信する経過通知情報送信手段と、
前記扉の閉動を検出する扉閉動検出手段と、
前記扉閉動検出手段により、前記扉の閉動が検出されたときに、前記計測手段に重量を計測させる制御を行う計測制御手段と、
前記計測制御手段による制御によって、前記計測手段により計測された収納物の重量が予め設定された設定重量範囲から外れた否かを判断する重量判断手段と、
前記重量判断手段により、前記計測手段により計測された収納物の重量が予め設定された設定重量範囲から外れたと判断された場合に、前記端末装置に所定の変化通知情報を送信する変化通知情報送信手段と、
ユーザが収納物を前記収納部に収納するための誘導を行う収納誘導手段と、
を備えることを特徴とする冷蔵庫。
【請求項３】
端末装置と電気通信回線を介して接続される物品保存庫であって、
開閉自在な扉を有する物品保存庫本体と、
前記物品保存庫本体内に設けられ、収納物を収納する収納部と、
前記収納部に収納された収納物の重量を計測する計測手段と、
前記計測手段により計測された収納物の重量に基づいて、新たな収納物が前記収納部に収納されたか否かを判断する収納判断手段と、
前記収納判断手段により新たな収納物が前記収納部に収納されたと判断されてからの経過時間を計時する計時手段と、
前記計時手段により計時された経過時間が予め設定された設定時間を超えたか否かを判断する経過時間判断手段と、
前記経過時間判断手段により、経過時間が予め設定された設定時間を超えたと判断された場合に、前記端末装置に対して所定の経過通知情報を送信する経過通知情報送信手段と、
を備えることを特徴とする物品保存庫。
【請求項４】
前記扉の閉動を検出する扉閉動検出手段と、
前記扉閉動検出手段により、前記扉の閉動が検出されたときに、前記計測手段に収納物の重量を計測させる制御を行う計測制御手段と、
前記計測制御手段による制御によって、前記計測手段により計測された収納物の重量に基づいて、当該収納物が予め設定された変化条件を満たしたか否かを判断する変化判断手段と、
前記変化判断手段により、収納物が予め設定された前記変化条件を満たしたと判断された場合に、前記端末装置に所定の変化通知情報を送信する変化通知情報送信手段と、
を備えることを特徴とする請求項３に記載の物品保存庫。
【請求項５】
前記収納部は、同一種類の収納物を複数個個別に収納する個別収納部を備え、
前記計測手段は、前記個別収納部に収納された収納物の重量を個別に計測する個別計測手段を備え、
前記変化判断手段は、
前記個別計測手段により計測された前記個別収納部の収納物の重量に基づいて、前記個別収納部毎の収納物の有無を判断する第１判断手段と、
前記第１判断手段により判断された前記個別収納部毎の収納物の有無に基づいて、収納物の合計個数を算出する算出手段と、
前記算出手段により算出された収納物の合計個数が予め設定された設定個数より少ない場合に、前記変化条件を満たしたと判断する第２判断手段と、
を備えることを特徴とする請求項４に記載の物品保存庫。
【請求項６】
前記変化判断手段は、前記計測手段により計測された前記収納部に収納された収納物の重量が予め設定された設定重量範囲から外れた場合に、前記変化条件を満たしたと判断することを特徴とする請求項４又は５に記載の物品保存庫。
【請求項７】
ユーザが収納物を前記収納部に収納するための誘導を行う収納誘導手段を備えることを特徴とする請求項３〜６の何れか一項に記載の物品保存庫。
【発明の詳細な説明】
【技術分野】
【０００１】
本発明は、物品保存庫及び冷蔵庫に関する。
【背景技術】
【０００２】
従来、冷蔵庫等の物品保存庫に収納された収納物の在庫状況を、遠隔地においても把握し、在庫管理を行うことができる物品保存庫が開発されている。
例えば、特許文献１には、所定周期毎に、或いはユーザからの要求に応じて、冷蔵庫に収納された食材の有無或いは残量を検知して在庫情報を取得し、当該在庫情報をインターネットを介してＡＳＰサーバに保管して、ユーザによる要求に応じて携帯電話機等の端末装置に当該在庫情報を転送することにより、食材管理を行うことができる冷蔵庫が開示されている。
【０００３】
また、特許文献２には、食料品の減り具合の測定、取り出し回数の検知或いは賞味期限等によって、食料品の消費状況を把握し、所定の条件が成立した場合に使用者に当該消費状況を通知することによって、在庫管理を行うことのできる冷蔵庫が開示されている。
【特許文献１】特開２００３−２２７６７６号公報
【特許文献２】特開２００５−３３２３号公報
【発明の開示】
【発明が解決しようとする課題】
【０００４】
しかしながら、特許文献１に開示された技術では、食材の有無或いは残量等の在庫状況を把握することはできるものの、食材の消費期限を把握することはできないため、在庫管理として不十分である。
【０００５】
また、特許文献２に開示された技術では、食料品を収納する際に、ユーザが食料品毎に賞味期限等のデータを入力する作業を行わなければならないので面倒であり、そのため、在庫管理を行う冷蔵庫としての実用性に欠けるという問題があった。
【０００６】
本発明の課題は、新たな収納物を収納する際に収納物の消費期限等のデータを入力する必要がなく、より簡便な方法で在庫管理を行うことができる物品保存庫及び冷蔵庫を提供することである。
【課題を解決するための手段】
【０００７】
以上の課題を解決するため、請求項１に記載の発明は、端末装置と電気通信回線を介して接続される冷蔵庫において、
開閉自在な扉を有する冷蔵庫本体と、
前記冷蔵庫本体内に設けられ、卵を個別に収納する複数の個別収納部を有する卵収納部と、
前記個別収納部に設けられ、収納された卵の重量を計測する卵計測手段と、
前記卵計測手段により計測された重量に基づいて、新たな卵が前記個別収納部に収納されたか否かを判断する収納判断手段と、
前記収納判断手段により新たな卵が前記個別収納部に収納されたと判断されてからの経過時間を計時する計時手段と、
前記計時手段により計時された経過時間が予め設定された設定時間を超えたか否かを判断する経過時間判断手段と、
前記経過時間判断手段により、経過時間が予め設定された設定時間を超えたと判断された場合に、前記端末装置に対して所定の経過通知情報を送信する経過通知情報送信手段と、
前記扉の閉動を検出する扉閉動検出手段と、
前記扉閉動検出手段により、前記扉の閉動が検出されたときに、前記卵計測手段に重量を計測させる制御を行う計測制御手段と、
前記計測制御手段による制御によって、前記卵計測手段により計測された重量に基づいて、前記個別収納部毎の卵の有無を判断する第１判断手段と、
前記第１判断手段により判断された前記個別収納部毎の卵の有無に基づいて、前記卵収納部に収納されている卵の合計個数を算出する算出手段と、
前記算出手段により算出された卵の合計個数が予め設定された設定個数より少ないか否かを判断する第２判断手段と、
前記第２判断手段により、前記算出手段により算出された卵の合計個数が予め設定された設定個数より少ないと判断された場合に、前記端末装置に所定の変化通知情報を送信する変化通知情報送信手段と、
を備えることを特徴とする。
【０００８】
請求項２に記載の発明は、端末装置と電気通信回線を介して接続される冷蔵庫において、
開閉自在な扉を有する冷蔵庫本体と、
前記冷蔵庫本体内に設けられ、収納物を収納する収納部と、
前記収納部に設けられ、収納された収納物の重量を計測する計測手段と、
前記計測手段により計測された重量に基づいて、新たな収納物が前記収納部に収納されたか否かを判断する収納判断手段と、
前記収納判断手段により新たな収納物が前記収納部に収納されたと判断されてからの経過時間を計時する計時手段と、
前記計時手段により計時された経過時間が予め設定された設定時間を超えたか否かを判断する経過時間判断手段と、
前記経過時間判断手段により、経過時間が予め設定された設定時間を超えたと判断された場合に、前記端末装置に対して所定の経過通知情報を送信する経過通知情報送信手段と、
前記扉の閉動を検出する扉閉動検出手段と、
前記扉閉動検出手段により、前記扉の閉動が検出されたときに、前記計測手段に重量を計測させる制御を行う計測制御手段と、
前記計測制御手段による制御によって、前記計測手段により計測された収納物の重量が予め設定された設定重量範囲から外れた否かを判断する重量判断手段と、
前記重量判断手段により、前記計測手段により計測された収納物の重量が予め設定された設定重量範囲から外れたと判断された場合に、前記端末装置に所定の変化通知情報を送信する変化通知情報送信手段と、
ユーザが収納物を前記収納部に収納するための誘導を行う収納誘導手段と、
を備えることを特徴とする。
【０００９】
請求項３に記載の発明は、端末装置と電気通信回線を介して接続される物品保存庫であって、
開閉自在な扉を有する物品保存庫本体と、
前記物品保存庫本体内に設けられ、収納物を収納する収納部と、
前記収納部に収納された収納物の重量を計測する計測手段と、
前記計測手段により計測された収納物の重量に基づいて、新たな収納物が前記収納部に収納されたか否かを判断する収納判断手段と、
前記収納判断手段により新たな収納物が前記収納部に収納されたと判断されてからの経過時間を計時する計時手段と、
前記計時手段により計時された経過時間が予め設定された設定時間を超えたか否かを判断する経過時間判断手段と、
前記経過時間判断手段により、経過時間が予め設定された設定時間を超えたと判断された場合に、前記端末装置に対して所定の経過通知情報を送信する経過通知情報送信手段と、
を備えることを特徴とする。
【００１０】
請求項４に記載の発明は、請求項３に記載の物品保存庫において、前記扉の閉動を検出する扉閉動検出手段と、
前記扉閉動検出手段により、前記扉の閉動が検出されたときに、前記計測手段に収納物の重量を計測させる制御を行う計測制御手段と、
前記計測制御手段による制御によって、前記計測手段により計測された収納物の重量に基づいて、当該収納物が予め設定された変化条件を満たしたか否かを判断する変化判断手段と、
前記変化判断手段により、収納物が予め設定された前記変化条件を満たしたと判断された場合に、前記端末装置に所定の変化通知情報を送信する変化通知情報送信手段と、
を備えることを特徴とする。
【００１１】
請求項５に記載の発明は、請求項４に記載の物品保存庫において、前記収納部は、同一種類の収納物を複数個個別に収納する個別収納部を備え、
前記計測手段は、前記個別収納部に収納された収納物の重量を個別に計測する個別計測手段を備え、
前記変化判断手段は、
前記個別計測手段により計測された前記個別収納部の収納物の重量に基づいて、前記個別収納部毎の収納物の有無を判断する第１判断手段と、
前記第１判断手段により判断された前記個別収納部毎の収納物の有無に基づいて、収納物の合計個数を算出する算出手段と、
前記算出手段により算出された収納物の合計個数が予め設定された設定個数より少ない場合に、前記変化条件を満たしたと判断する第２判断手段と、
を備えることを特徴とする。
【００１２】
請求項６に記載の発明は、請求項４又は５に記載の物品保存庫において、前記変化判断手段は、前記計測手段により計測された前記収納部に収納された収納物の重量が予め設定された設定重量範囲から外れた場合に、前記変化条件を満たしたと判断することを特徴とする。
【００１３】
請求項７に記載の発明は、請求項３〜６の何れか一項に記載の物品保存庫において、ユーザが収納物を前記収納部に収納するための誘導を行う収納誘導手段を備えることを特徴とする。
【発明の効果】
【００１４】
請求項１に記載の発明によれば、収納判断手段により、卵計測手段により計測された重量に基づいて、新たな卵が個別収納部に収納されたか否かが判断され、経過時間判断手段により、新たな卵が個別収納部に収納されたと判断されてからの経過時間が予め設定された設定時間を超えたか否かが判断され、さらに、経過時間判断手段により経過時間が予め設定された設定時間を超えたと判断された場合には、経過通知情報送信手段により、端末装置に対して所定の経過通知情報が送信されるので、新たな卵を収納する際に卵の消費期限等のデータを入力することなく在庫管理が行われることとなって、ユーザは、簡便な方法で冷蔵庫における在庫管理を行うことができる。
また、第１判断手段により、個別計測手段により計測された個別収納部毎の重量に基づいて、個別収納部毎の卵の有無が判断され、算出手段により、個別収納部毎の卵の有無に基づいて卵の合計個数が算出され、さらに、第２判断手段により、算出手段により算出された卵の合計個数が予め設定された設定個数より少ないと判断された場合に、変化通知情報送信手段により、所定の変化通知情報が端末装置に送信されるので、ユーザは、遠隔地においても、当該変化通知情報により、卵の合計個数が予め設定された設定個数よりも少ないことを把握することができる。
【００１５】
請求項２に記載の発明によれば、収納判断手段により、計測手段により計測された重量に基づいて、新たな収納物が収納部に収納されたか否かが判断され、経過時間判断手段により、新たな収納物が収納部に収納されたと判断されてからの経過時間が予め設定された設定時間を超えたか否かが判断され、さらに、経過時間判断手段により経過時間が予め設定された設定時間を超えたと判断された場合には、経過通知情報送信手段により、端末装置に対して所定の経過通知情報が送信されるので、新たな収納物を収納する際に収納物の消費期限等のデータを入力することなく在庫管理が行われることとなって、ユーザは、簡便な方法で冷蔵庫における在庫管理を行うことができる。
また、重量判断手段により、計測手段により計測された収納部に収納された収納物の重量が予め設定された設定重量範囲から外れたと判断された場合に、変化通知情報送信手段により、所定の変化通知情報が端末装置に送信されるので、ユーザは、遠隔地においても、当該変化通知情報により、収納物の重量が予め設定された設定重量範囲から外れたことを把握することができる。
さらに、収納誘導手段により、ユーザが収納物を収納部に収納するための誘導が行われるので、ユーザは収納物を適切な位置に収納することが可能となって、在庫管理をより確実に行うことができる。
【００１６】
請求項３に記載の発明によれば、収納判断手段により、計測手段により計測された重量に基づいて、新たな収納物が収納部に収納されたか否かが判断され、経過時間判断手段により、新たな収納物が収納部に収納されたと判断されてからの経過時間が予め設定された設定時間を超えたか否かが判断され、さらに、経過時間判断手段により経過時間が予め設定された設定時間を超えたと判断された場合には、経過通知情報送信手段により、端末装置に対して所定の経過通知情報が送信されるので、新たな収納物を収納する際に収納物の消費期限等のデータを入力することなく在庫管理が行われることとなって、ユーザは、簡便な方法で物品保存庫における在庫管理を行うことができる。
【００１７】
請求項４に記載の発明によれば、請求項３に記載の発明の効果が得られるのは無論のこと、変化判断手段により、計測手段により計測された収納物の重量に基づいて、当該収納物が予め設定された変化条件を満たしたか否かが判断され、変化判断手段により収納物が予め設定された変化条件を満たしたと判断された場合に、変化通知情報送信手段により所定の変化通知情報が端末装置に送信されるので、ユーザは、遠隔地においても、当該変化通知情報により収納物が変化条件を満たしたことを把握することができる。
【００１８】
請求項５に記載の発明によれば、請求項４に記載の発明の効果が得られるのは無論のこと、変化判断手段により、第１判断手段により、個別計測手段により計測された重量に基づいて、個別収納部毎の収納物の有無が判断され、算出手段により、個別収納部毎の収納物の有無に基づいて収納物の合計個数が算出され、さらに、第２判断手段により、算出手段により算出された収納物の合計個数が予め設定された設定個数より少ない場合に、変化条件を満たしたと判断されるので、変化通知情報送信手段により端末装置に送信される所定の変化通知情報により、ユーザは、遠隔地においても、収納物の合計個数が予め設定された設定個数よりも少ないことを把握することができる。
【００１９】
請求項６に記載の発明によれば、請求項４又は５に記載の発明の効果が得られるのは無論のこと、変化判断手段により、計測手段により計測された前記収納部に収納された収納物の重量が予め設定された設定重量範囲から外れた場合に、変化条件を満たしたと判断されるので、変化通知情報送信手段により端末装置に送信される所定の変化通知情報により、ユーザは、遠隔地においても、収納物の重量が予め設定された設定重量範囲から外れたことを把握することができる。
【００２０】
請求項７に記載の発明によれば、請求項３〜６の何れか一項に記載の発明の効果が得られるのは無論のこと、収納誘導手段により、ユーザが収納物を収納部に収納するための誘導が行われるので、ユーザは収納物を適切な位置に収納することが可能となって、在庫管理をより確実に行うことができる。
【発明を実施するための最良の形態】
【００２１】
以下、本発明の実施の形態を、図面を参照しながら詳細に説明する。
なお、本実施形態は、物品保存庫として冷蔵庫を、端末装置として携帯電話機を用いて説明する。
【００２２】
本実施形態の冷蔵庫１００は、例えば、図１に示すように、サーバ２００と、携帯電話機３００と、電気通信回線を介して接続されている。
電気通信回線は、例えば、インターネットや、公衆電話交換網等の公衆回線網、或いはこれらが相互に接続されたものであり、本実施形態においてはインターネットを用いて説明する。
【００２３】
冷蔵庫１００は、内部に収納された収納物としての食品に関するデータを取得し、当該食品データをインターネットを介してサーバ２００に送信する。
サーバ２００は、宅内に設けられたサーバ或いはインターネットプロバイダーのサーバであり、電子メールの送受信を行うメールサーバや、ウェブページをインターネットに公開するウェブサーバ等としての各種サービスを提供する。サーバ２００は、冷蔵庫１００からインターネットを介して送信された食品データを登録・保存し、且つ、当該食品データを携帯電話機３００に送信する機能を果たす。
具体的には、サーバ２００は、冷蔵庫１００から食品データを受信すると、当該食品データを格納し、所定の場合に或いは携帯電話機３００からの要求に応じて、当該食品データに基づくデータを、電子メールにより或いはインターネットのウェブページを用いて、携帯電話機３００に送信する。
携帯電話機３００は、サーバ２００からインターネットを介して送信された電子メールや、ブラウザを用いてアクセスしたウェブページのデータを受信する。そして、ユーザは、携帯電話機３００が受信した当該データを参照することにより、冷蔵庫１００の在庫管理を行う。
【００２４】
図２は、冷蔵庫１００の冷蔵庫本体１の扉１ａを開いた状態の斜視図、図３は、冷蔵庫１００の冷蔵庫本体１の扉１ａを閉じた状態の正面図、図４は、冷蔵庫１００の要部構成を示すブロック図である。
図２〜４に示すように、冷蔵庫１００は、冷蔵庫本体１と、扉閉動検出手段としての扉検出部２と、照明部３と、収納部４と、計測手段としての重量検出部５と、計時部６と、収納誘導手段としての収納誘導部７と、制御部８と、食品データ表示部９と、食品データ入力部１０と、通信部１１と、を備えて構成されている。
【００２５】
冷蔵庫本体１は、例えば、外形が直方体形状であり、開閉自在な扉１ａを備えている。冷蔵庫本体１内部には、扉１ａの開動及び閉動を検出する扉検出部２と、照明部３と、収納部４と、重量検出部５と、計時部６と、収納誘導部７とが設けられており、一方、冷蔵庫本体１の外部には、食品データ表示部９と、食品データ入力部１０とが設けられている。
【００２６】
扉検出部２は、例えば、ユーザによる扉１ａの開動及び閉動を光の明暗により検出して、検出結果を制御部８に出力する光センサや、ユーザによる扉１ａの開動及び閉動を接触の有無により検出して、検出結果を制御部８に出力する接触スイッチ等である。扉検出部２は、閉扉状態では、例えば、「Ｌ」の検出信号を制御部８に出力し、一方、開扉状態では、「Ｈ」の検出信号を制御部８に出力する。
【００２７】
照明部３は、制御部８に接続された駆動回路（図示省略）と、駆動回路に接続された光源（図示省略）と、を備えて構成されている。駆動回路は、制御部８からの制御信号に基づいて、照明部３を点灯させるための電流を光源に対して供給する。
具体的には、扉検出部２により扉１ａの開動が検出されて「Ｈ」の検出信号が制御部８に出力されると、制御部８は、駆動回路に対して、光源に駆動電流を供給するよう指示する制御信号を出力する。当該制御信号に基づいて、駆動回路から光源に駆動電流が供給されると、照明部３が点灯されることとなる。一方、扉検出部２により扉１ａの閉動が検出されて「Ｌ」の検出信号が制御部８に出力されると、制御部８は、駆動回路に対して、光源への駆動回路の供給を停止するよう指示する制御信号を出力する。当該制御信号に基づいて、駆動回路から光源への駆動電流の供給が止められると、照明部３は消灯することとなる。
【００２８】
収納部４は、食品を収納可能に設計されており、扉１ａに備わるドアポケット１ｂの上段部には、卵を収納する卵収納部としての卵収納ホルダー４１が、ドアポケット１ｂの下段部には、各種のドリンクボトル入りのドリンクを収納するドリンク収納ホルダー４２が設けられている。
卵収納ホルダー４１は、例えば、図５に示すように、個別収納部としての卵ホルダーＮｏ．１（４１ａ）〜ホルダーＮｏ．１２（４１ｌ）の１２個の卵ホルダーに、１２個の卵を収納できるようになっており、卵ホルダーＮｏ．１〜ホルダーＮｏ．１２のそれぞれの卵ホルダーの底部には、後述する重量検出部５の卵センサ５１が設けられている。
ドリンク収納ホルダー４２は、例えば、図６に示すように、ドリンクホルダーＡ、ドリンクホルダーＢ、ドリンクホルダーＣ及びドリンクホルダーＤの四つのドリンクホルダーに、四つのドリンクを収納できるようになっており、ドリンクホルダーＡ〜Ｄのそれぞれのドリンクホルダーの底部には、後述する重量検出部５のドリンクセンサ５２が設けられている。
【００２９】
重量検出部５は、食品の重量を計測して、当該食品の重量に基づく信号を制御部８に出力する。重量検出部５は、例えば、図示は省略するが、板ばねからなる可動電極板及びプリント配線基盤の上面に形成された固定電極板から構成され、重量に応じて対向間隔が変化する一対の電極板と、当該電極板の対向間隔の変化に伴う静電容量の変化量に応じた周波数で発振する発振回路と、を備えて構成されている。そして、可動電極板が食品の重量を受け、その重量に応じた分だけ固定電極板との対向間隔が変化すると、両電極板の静電容量が変化する。この静電容量に応じて、発振回路より発振される発振周波数を検出することにより、食品の重量が計測されることとなる。
具体的には、重量検出部５は、卵の重量を計測する卵計測手段（個別計測手段）としての卵センサ５１と、ドリンクの重量を計測するドリンクセンサ５２と、を備えている。卵センサ５１は、卵収納ホルダー４１の卵ホルダーＮｏ．１〜Ｎｏ．１２の各卵ホルダーの底部に卵センサＮｏ．１〜Ｎｏ．１２の１２個の卵センサ５１が取り付けられ、それぞれの卵ホルダーに収納される卵の重量を計測して、当該検出した卵ホルダー毎の重量を制御部８に出力する。ドリンクセンサ５２は、ドリンク収納ホルダー４２の各ドリンクホルダーＡ〜Ｄの底部にドリンクセンサＡ〜Ｄが取り付けられ、それぞれのドリンクホルダーに収納されるドリンクの重量を計測して、当該計測したドリンク毎の重量を制御部８に出力する。
【００３０】
計時部６は、例えば、現在日時や新たな食品が収納されてからの経過時間を計時するタイマー６１と、ドリンク収納ホルダー４２のドリンクホルダーが空になってからの時間をカウントするドリンクタイマー６２と、を備えている。
タイマー６１は、現在日時及び新たな食品が収納部４に収納されてからの経過時間を計時して、当該現在日時データ及び経過時間データ等のデータを制御部８に出力する。具体的には、タイマー６１は、後述する計時プログラム８４ｃの実行により、後述する収納判断プログラム８４ｂの実行により検出された卵或いはドリンクが新たに収納された時点からの経過時間を、それぞれの卵及びドリンクについて個別に計時する。
ドリンクタイマー６２は、空タイマーＡ、空タイマーＢ、空タイマーＣ、空タイマーＤの四つのタイマーが、ドリンク収納ホルダー４２のドリンクホルダーＡ〜Ｄのそれぞれに対応して設けられており、ドリンクホルダーＡ〜Ｄに備わるドリンクセンサＡ〜Ｄにより検出され、制御部８に出力された重量に基づいて、ドリンクホルダーＡ〜Ｄからドリンクが取り出されたことが検出されると、当該ドリンクホルダーに対応するドリンクタイマー６２によるカウントが開始する。
【００３１】
収納誘導部７は、例えば、ＬＥＤ（Light Emitting Diode）７１から構成され、ドリンク収納ホルダー４２のドリンクホルダーＡ〜Ｄのうち、何れかのドリンクホルダーからドリンクが取り出されたことが検出され、当該ドリンクホルダーに対応するドリンクタイマー６２が作動してドリンクホルダーが空になってからの時間がカウントされると、当該空になってからの時間に応じて、所定の間隔で点滅或いは消灯する。
具体的には、ＬＥＤ７１は、ドリンクホルダーＡ〜Ｄに対応してＬＥＤａ〜ｄが目視可能に備わっており、ドリンクホルダーにドリンクが収納された状態では点灯している。そして、後述する収納誘導プログラム８４ｋの実行により、ドリンクタイマー６２が作動すると、ＬＥＤ７１は遅い点滅を行い、ドリンクタイマー６２の作動開始から２０分が経過すると、ＬＥＤ７１は速い点滅を行う。さらに、ドリンクタイマー６２作動開始から６０分が経過すると、ＬＥＤ７１は消灯する。
【００３２】
また、収納誘導部７は、ＬＥＤ７１の代わりに蓋を用いても良く、例えば、図７に示すように、ドリンクホルダーＡ〜Ｄのそれぞれに対応してドリンクホルダーの開閉を行う蓋が設けられている。当該ドリンクホルダーにドリンクが収納された状態では、ドアの内部に備わる電磁石に通電されることにより、蓋は開いた状態でドア側に固定されている。そして、ドリンクタイマー６２が作動して所定時間が経過すると、電磁石への通電が切られることにより、蓋は閉じ、ドリンクをドリンクホルダーに収納することができなくなる。蓋の閉じたドリンクホルダーにドリンクを収納する際には、蓋を手動でドアに押し付けることにより、ドアに設けられたスイッチが押されて電磁石に通電され、蓋は再び開いた状態で固定されることとなる。
【００３３】
食品データ表示部９は、例えば、液晶方式等の表示画面９１を備え、当該表示画面９１に各種設定画面を表示させる。当該設定画面に基づいて、食品データ入力部１０が操作されて、収納する食品の食品名や、収納する食品の賞味期限等のデータが入力される。また、当該表示画面９１には、携帯電話機３００に送信される各種通知メールの内容と同様の通知が表示される。
【００３４】
食品データ入力部１０は、例えば、複数のキーを備えて構成され、初期設定において、収納部４の各部に収納する食品名や、期限通知メールの送信において基準となる賞味期限（設定時間）の目安、残数僅少通知メールの送信において基準となる設定個数、空通知メール・残量僅少通知メールの送信において基準となる設定重量範囲等のデータを、食品データ表示部９の表示に基づいて入力する。当該入力されたデータは、メモリ部８３の食品データ格納部８３２の食品情報登録テーブル８３２ａに登録されることとなり、当該登録されたデータに基づいて、制御部８による各種の制御が行われることとなる。
【００３５】
図８は、食品情報テーブル８３２ａを例示した図である。例えば、図８に示すように、ドリンクホルダーＡについて、収納する食品の食品名を「牛乳」、収納する食品の賞味期限を「５日」、ドリンクホルダーＢについて、収納する食品の食品名を「野菜ジュース」、収納する食品の賞味期限を「８日」、ドリンクホルダーＣについて、収納する食品の食品名を「麦茶」、収納する食品の賞味期限を「１０日」、ドリンクホルダーＤについて、収納する食品の食品名を「ミネラルウォーター」、収納する食品の賞味期限を「２０日」として入力すると、これらの食品名データ及び賞味期限データが食品情報テーブル８３２ａに登録される。
また、卵の設定個数を「３個」として入力すると、卵の設定個数データが食品情報テーブル８３２ａに登録される。
また、ドリンクの設定重量範囲を、第１の設定重量範囲を「５０ｇ以上」、第２の設定重量範囲を「２００ｇ以上」として入力すると、卵の設定個数データが食品情報テーブル８３２ａに登録される。
【００３６】
そして、食品情報登録テーブル８３２ａに登録された上記のデータに基づいて、後述する経過通知情報送信プログラム８４ｅや変化通知情報送信プログラム８４ｊの実行において携帯電話機３００に送信される各種の通知メール等には、食品情報登録テーブル８３２ａに、収納部４の各部にそれぞれ収納される食品の食品名として食品情報登録テーブル８３２ａに登録された食品名データに基づく表示（例えば、「牛乳の残量は１００ｇです。」）がなされることとなる。
また、後述する経過時間判断プログラム８４ｄの実行において、各々の食品について賞味期限（設定時間）が到来したか否かが、食品情報登録テーブル８３２ａに登録された当該食品の賞味期限データに基づいて判断されることとなる。
また、後述する第２判断プログラム８４ｈの実行において、卵の合計個数が予め設定された設定個数より少ないか否かが、食品情報登録テーブル８３２ａに登録された卵の設定個数データに基づいて判断されることとなる。
さらに、後述する重量判断プログラム８４ｉの実行において、ドリンクの重量が予め設定された設定重量範囲から外れたか否かが、食品情報登録テーブル８３２ａに登録されたドリンクの設定重量範囲データに基づいて判断されることとなる。
【００３７】
通信部１１は、例えば、モデム（MODEM/MOdulator/DEMdulator）、ターミナルアダプタ、ＬＡＮアダプタ等によって構成され、インターネットを介して外部機器との通信を行う。
具体的には、通信部１１は、各種プログラムの実行により取得されたデータ等をサーバ２００に送信する。
【００３８】
制御部８は、例えば、Ｉ／Ｏポート８１と、ＣＰＵ（Central Processing Unit）８２と、メモリ部８３と、ＲＯＭ（Read Only Memory）８４と、を備えて構成されている。
【００３９】
ＣＰＵ８２は、冷蔵庫１００の各部からＩ／Ｏポート８１を介して入力された入力信号等に応じて、ＲＯＭ８４に格納された各種プログラムを実行するとともに、Ｉ／Ｏポート８１を介して各部に出力信号を出力することによって、冷蔵庫１００の動作全般を統括制御する。
【００４０】
メモリ部８３は、ＲＡＭ（Random Access Memory）８３１を備え、ＣＰＵ８２によって各種プログラムが実行される際に生じる処理結果や、入力されたデータ等を記憶するとともに、ＥＥＰＲＯＭ（Electrically Erasable ROM）、フラッシュメモリ等から成る不揮発性の食品データ格納部８３２を備え、初期設定において食品データ入力部１０の操作により入力されたデータや、各種プログラムの実行により取得したデータ等を記憶する。
具体的には、食品データ格納部８３２は、食品情報登録テーブル８３２ａ、卵情報テーブル８３２ｂ、ドリンク情報テーブル８３２ｃを備えている。食品情報登録テーブル８３２ａには、収納部４の各部に収納される食品の食品名、期限通知メールの送信において基準となる食品の賞味期限の目安、残数僅少通知メールの送信において基準となる残数及び空通知メール・残量僅少通知メールの送信において基準となる残量等のデータが格納される。また、卵情報テーブル８３２ｂには、例えば図９に示すように、収納判断プログラム８４ｂ、計時プログラム８４ｃ、経過時間判断プログラム８４ｄ、経過通知情報送信プログラム８４ｅ、第１判断プログラム８４ｆ、算出プログラム８４ｇ、第２判断プログラム８４ｈ等の実行により取得された卵に関する各種データが格納される。さらに、ドリンク情報テーブル８３２ｃには、例えば図１０に示すように、収納判断プログラム８４ｂ、計時プログラム８４ｃ、経過時間判断プログラム８４ｄ、経過通知情報送信プログラム８４ｅ、重量判断プログラム８４ｉ等の実行により取得されたドリンクに関する各種データが格納される。
【００４１】
ＲＯＭ８４は、計測制御プログラム８４ａ、収納判断プログラム８４ｂ、計時プログラム８４ｃ、経過時間判断プログラム８４ｄ、経過通知情報送信プログラム８４ｅ、第１判断プログラム８４ｆ、算出プログラム８４ｇ、第２判断プログラム８４ｈ、重量判断プログラム８４ｉ、変化通知情報送信プログラム８４ｊ、収納誘導プログラム８４ｋ等のプログラムを格納している。
【００４２】
計測制御プログラム８４ａは、例えば、ＣＰＵ８２に、扉検出部２による扉１ａの閉動が検出されたときに、重量検出部５により食品の重量を計測させる機能を実現させるプログラムである。
具体的には、ＣＰＵ８２は、扉検出部２により、冷蔵庫本体１の扉１ａの閉動が検出されると、卵ホルダーＮｏ．１〜Ｎｏ．１２の各卵ホルダーに備わる卵センサＮｏ．１〜Ｎｏ．１２に、それぞれの卵ホルダーに収納される卵の重量を計測させ、当該計測された卵ホルダー毎の卵の重量データを取得する。
また、ＣＰＵ８２は、扉検出部２により、冷蔵庫本体１の扉１ａの閉動が検出されると、ドリンクホルダーＡ〜Ｄの各ドリンクホルダーに備わるドリンクセンサＡ〜Ｄに、それぞれのドリンクホルダーに収納されるドリンクの重量を計測させ、当該計測されたドリンクホルダー毎のドリンクの重量データを取得する。
ＣＰＵ８２は、かかる計測制御プログラム８４ａを実行することにより、計測制御手段として機能する。
【００４３】
収納判断プログラム８４ｂは、例えば、ＣＰＵ８２に、重量検出部５により計測された食品の重量に基づいて、新たな食品が収納部４に収納されたことを検出する機能を実現させるプログラムである。
具体的には、ＣＰＵ８２は、卵センサＮｏ．１〜Ｎｏ．１２により計測された卵ホルダー毎の卵の重量データに基づいて、前回の重量計測時に検出された卵ホルダー毎の重量データにより卵が無いと判断された卵ホルダーについて、所定重量（例えば、４５ｇ）以上の重量が計測された場合に、当該卵ホルダーに新たな卵が収納されたと判断する。
また、ＣＰＵ８２は、ドリンクホルダーＡ〜Ｄの各ドリンクホルダーに備わるドリンクセンサＡ〜Ｄにより計測されたドリンクホルダー毎のドリンクの重量データに基づいて、空通知済フラグが「１」にセットされたドリンクホルダーについて、重量の増加が検出された場合に、当該ドリンクホルダーに新たなドリンクが収納されたと判断する。
ＣＰＵ８２は、かかる収納判断プログラム８４ｂを実行することにより、収納判断手段として機能する。
【００４４】
計時プログラム８４ｃは、例えば、ＣＰＵ８２に、収納判断プログラム８４ｂの実行により、新たに収納された食品の、新たな食品が収納されたと判断されてからの経過時間を計時する機能を実現させるプログラムである。
具体的には、各卵ホルダーにおいて、新たな卵が収納されたと判断されると、ＣＰＵ８２は、卵ホルダー毎に、タイマー６１に、当該卵が新たに収納されたと判断された時点からの経過時間を計時させ、経過時間データを取得する。
また、各ドリンクホルダーにおいて、新たなドリンクが収納されたと判断されると、ＣＰＵ８２は、ドリンクホルダー毎に、タイマー６１に、当該ドリンクが新たに収納されたと判断された時点からの経過時間を計時させ、経過時間データを取得する。
ＣＰＵ８２は、かかる計時プログラム８４ｃを実行することにより、計時部６とともに計時手段として機能する。
【００４５】
経過時間判断プログラム８４ｄは、例えば、ＣＰＵ８２に、計時プログラム８４ｃの実行により計時された、新たな食品が収納されたと判断されてからの経過時間が、予め設定された設定時間を超えたか否かを判断する機能を実現させるプログラムである。
具体的には、各卵ホルダーにおいて、卵が新たに収納されたと判断されてからの経過時間が計時されると、ＣＰＵ８２は、所定のタイミングで（例えば、毎日午前１０時に）当該経過時間データを取得し、経過時間が、設定時間としての、食品データ格納部８３２の食品情報登録テーブル８３２ａに予め登録された卵の賞味期限（例えば、１４日）を超えたか否か判断する。
また、各ドリンクホルダーにおいて、ドリンクが新たに収納されたと判断されてからの経過時間が計時されると、ＣＰＵ８２は、所定のタイミングで（例えば、毎日午朝１０時に）当該経過時間データを取得し、経過時間が、設定時間としての、食品データ格納部８３２の食品情報登録テーブル８３２ａに予め登録されたドリンクの賞味期限（例えば、５日）を超えたか否か判断する。
ＣＰＵ８２は、かかる経過時間判断プログラム８４ｄを実行することにより、経過時間判断手段として機能する。
【００４６】
経過通知情報送信プログラム８４ｅは、例えば、ＣＰＵ８２に、経過時間判断プログラム８４ｄの実行により、食品の経過時間が、予め設定された設定時間を超えたと判断された場合に、携帯電話機３００に対して所定の経過通知情報を送信する機能を実現させるプログラムである。
具体的には、ＣＰＵ８２は、各卵ホルダーにおいて、卵が新たに収納されたと判断されてからの経過時間が、卵の賞味期限（例えば、１４日）を超えたと判断すると、当該卵ホルダーに収納される卵の賞味期限が切れた旨の経過通知情報としての期限通知メール（例えば、「卵ホルダーＮｏ．１、Ｎｏ．２の卵の賞味期限が切れました。卵ホルダーＮｏ．１、Ｎｏ．２の卵を破棄してください。」）を、サーバ２００を介してインターネットの電子メールサービスにより、携帯電話機３００に送信する。また、ＣＰＵ８２は、期限通知メールを送信すると、賞味期限が切れた卵の卵ホルダーに対応する期限通知済フラグを「１」にセットし、卵が新たに収納されたと判断した時点で当該期限通知済フラグを「０」にリセットする。
また、各ドリンクホルダーにおいて、ＣＰＵ８２は、ドリンクが新たに収納されたと判断されてからの経過時間が、各ドリンクホルダーに収納されるドリンクの賞味期限（例えば、５日）を超えたと判断すると、当該ドリンクホルダーに収納されるドリンクの賞味期限が切れた旨の経過通知情報としての期限通知メール（例えば、「牛乳の賞味期限が切れました。牛乳を破棄してください。」）を、サーバ２００を介してインターネットの電子メールサービスにより、携帯電話機３００に送信する。また、ＣＰＵ８２は、期限通知メールを送信すると、賞味期限が切れたドリンクのドリンクホルダーに対応する期限通知済フラグを「１」にセットし、卵が新たに収納されたと判断した時点で当該期限通知済フラグを「０」にリセットする。
ＣＰＵ８２は、かかる経過通知情報送信プログラム８４ｅを実行することにより、経過通知情報送信手段として機能する。
【００４７】
第１判断プログラム８４ｆは、例えば、ＣＰＵ８２に、計測制御プログラム８４ａの実行により重量検出部５により計測された食品の重量に基づいて、卵ホルダー毎の卵の有無を判断する機能を実現させるプログラムである。
具体的には、ＣＰＵ８２は、計測制御プログラム８４ａの実行により、卵センサＮｏ．１〜Ｎｏ．１２により計測された卵ホルダー毎の卵の重量データに基づいて、卵ホルダー毎に計測された卵の重量が所定重量範囲内（例えば、４５ｇ以上８０ｇ未満）である場合に、当該卵ホルダーには卵が有ると判断し、一方、卵ホルダー毎に検出された卵の当該重量が所定重量範囲内でない場合に（例えば、４５ｇ未満又は８０ｇ以上）、当該卵ホルダーには卵が無いと判断する。ＣＰＵ８２は、卵の有無の判断結果を、扉１ａの閉動検出時である開閉日時データに対応付けて、食品データ格納部８３２の卵情報テーブル８３２ｂに登録する。
図９は、卵情報テーブル８３２ｂを例示した図であり、卵が有ると判断された卵ホルダーには「１」が、卵が無いと判断された卵ホルダーには「０」が記憶されている。
ＣＰＵ８２は、かかる第１判断プログラム８４ｆを実行することにより、第１判断手段として機能する。
【００４８】
算出プログラム８４ｇは、例えば、ＣＰＵ８２に、第１判断プログラム８４ｆの実行により検出された各卵ホルダー毎の卵の有無に基づいて、卵収納ホルダー４１に収納されている卵の合計個数を算出する機能を実現させるプログラムである。
具体的には、例えば、第１判断プログラム８４ｆの実行により、卵ホルダーＮｏ．１〜Ｎｏ．４に卵が有り、卵ホルダーＮｏ．５〜Ｎｏ．１２に卵が無いと判断されたときに、ＣＰＵ８２は、卵収納ホルダー４１に収納されている卵の合計個数を「４個」と算出する。
ＣＰＵ８２は、かかる算出プログラム８４ｇを実行することにより、算出手段として機能する。
【００４９】
第２判断プログラム８４ｈは、例えば、ＣＰＵ８２に、算出プログラム８４ｇの実行により算出された卵の合計個数が、予め設定された設定個数より少ないか否かを判断する機能を実現させるプログラムである。
具体的には、例えば、ＣＰＵ８２は、算出プログラム８４ｇの実行により卵収納ホルダー４１に収納されている卵の合計個数が算出されると、当該合計個数が、食品データ格納部８３２の食品情報登録テーブル８３２ａに予め登録された設定個数（例えば、３個）より少ないか否かを判断する。
ＣＰＵ８２は、かかる第２判断プログラム８４ｈを実行することにより、第２判断手段として機能する。
【００５０】
重量判断プログラム８４ｉは、例えば、ＣＰＵ８２に、計測制御プログラム８４ａの実行により、重量検出部５により計測されたドリンクの重量に基づいて、ドリンクの重量が設定重量範囲から外れたか否かを判断する機能を実現させるプログラムである。
具体的には、ＣＰＵ８２は、計測制御プログラム８４ａの実行により、ドリンクホルダーＡ〜Ｄの各ドリンクホルダーに備わるドリンクセンサＡ〜Ｄにより計測されたドリンクホルダー毎のドリンクの重量データに基づいて、計測されたドリンク毎の重量が第１の設定重量範囲（例えば、５０ｇ以上）から外れたか否かを判断する。
また、計測されたドリンク毎の重量が第１の設定重量範囲（例えば、５０ｇ以上）を外れたと判断したときに、ＣＰＵ８２は、さらに、前回の食品データ格納部８３２の情報更新において、記録された重量と比較して、当該重量が減少した場合に、重量が第２の設定重量範囲（例えば、２００ｇ以上）から外れたか否かを判断する。
ＣＰＵ８２は、計測されたドリンクホルダー毎のドリンクの重量を、図１０に示すように、扉１ａの閉動検出時である開閉日時データに対応付けて、食品データ格納部８３２のドリンク情報テーブル８３２ｃに登録する。
ＣＰＵ８２は、かかる重量判断プログラム８４ｉを実行することにより、重量判断手段として機能する。
【００５１】
変化通知情報送信プログラム８４ｊは、例えば、ＣＰＵ８２に、第２判断プログラム８４ｈの実行により、卵収納ホルダー４１に収納された卵の合計個数が、設定個数より少ないと判断された場合に、携帯電話機３００に対して所定の変化通知情報を送信する機能を実現させるプログラムである。
具体的には、ＣＰＵ８２は、卵収納ホルダー４１に収納された卵の合計個数（例えば、２個）が設定個数（例えば、３個）より少ないと判断されると、卵の合計個数が設定個数よりも少ない旨及び卵の残数（合計個数）を通知する変化通知情報としての残数僅少通知メール（例えば、「卵が残り僅かになりました。卵の残数は２個です。」）を、サーバ２００を介して、インターネットの電子メールサービスにより、携帯電話機３００に送信する。また、ＣＰＵ８２は、残数僅少通知メールを送信すると、残数僅少通知済フラグを「１」にセットし、卵が新たに収納されたと判断し、合計個数が設定個数を上回ったと判断すると当該残数僅少通知済フラグを「０」にリセットする。
【００５２】
また、変化通知情報送信プログラム８４ｊは、例えば、ＣＰＵ８２に、重量判断プログラム８４ｉの実行により、ドリンクの重量が設定重量範囲から外れたと判断された場合に、携帯電話機３００に対して所定の変化通知情報を送信する機能を実現させるプログラムである。
具体的には、ＣＰＵ８２は、ドリンクホルダーＡ〜Ｄに収納されたドリンク毎の重量が、第１の設定重量範囲未満（例えば、５０ｇ未満）であり、当該ドリンクが空に近くなった旨を通知する変化通知情報としての空通知メール（例えば、「牛乳が空になりました。」）を、サーバ２００を介して、インターネットの電子メールサービスにより、携帯電話機３００に送信する。また、ＣＰＵ８２は、空通知メールを送信すると、空通知済フラグを「１」にセットし、ドリンクが新たに収納されたと判断すると「０」にリセットする。ＣＰＵ８２は、当該空通知済フラグを適宜参照し、ドリンクホルダーＡ〜Ｄに収納されたドリンク毎の重量が、第１の設定重量範囲未満（例えば、５０ｇ未満）であっても、空通知済フラグが「１」である場合には、空通知メールを送信しないこととなる。
また、ＣＰＵ８２は、ドリンクホルダーＡ〜Ｄに収納されたドリンク毎の重量が、第１の設定重量範囲未満（例えば、５０ｇ未満）でないと判断され、さらに、前回のドリンク情報テーブル８３２ｃの情報更新において、記録された重量と比較して、重量が減少した場合に、重量が第２の設定重量範囲未満（例えば、２００ｇ未満）であると判断すると、当該ドリンクの重量が二つ目の設定重量範囲未満となった旨及び当該ドリンクの残量を通知する変化通知情報としての残量僅少通知メール（例えば、「牛乳が残り僅かになりました。牛乳の残量は１００ｇです。」）を、サーバ２００を介して、インターネットの電子メールサービスにより、携帯電話機３００に送信する。
【００５３】
収納誘導プログラム８４ｋは、例えば、ＣＰＵ８２に、ユーザが一旦取り出した食品を、収納部４に収納するための誘導を行う機能を実現させるプログラムである。
具体的には、ＣＰＵ８２は、重量検出部５のドリンクセンサＡ〜Ｄにより検出されて取得した重量に基づいて、ドリンクホルダーＡ〜Ｄからドリンクが取り出されたことが検出されると、当該ドリンクホルダーに対応するドリンクタイマー６２を作動し、ドリンクホルダーが空になってからの時間をカウントする。そしてドリンクタイマー６２が作動してカウントされた、ドリンクホルダーが空になってからの時間が０分〜２０分の間は、当該ドリンクタイマー６２に対応するＬＥＤ７１に速い点滅を行わせる。また、ドリンクホルダーが空になってからの時間が２０分〜６０分の間は、ＬＥＤ７１に遅い点滅を行わせる。さらに、ドリンクホルダーが空になってからの時間が６０分以上になると、ＬＥＤ７１を消灯させる。
【００５４】
次に、ＣＰＵ８２によって実行される卵の経過通知情報送信動作処理について、図１１を用いて説明する。
卵の経過通知情報送信動作処理は、ＣＰＵ８２が、収納判断プログラム８４ｂ、計時プログラム８４ｃ、経過時間判断プログラム８４ｄ及び経過通知情報送信プログラム８４ｅを実行することにより行われる。
【００５５】
まず、ＣＰＵ８２は、ステップＳ１において、タイマー６１により計時される現在時刻が設定時刻（例えば、午前１０時）であるか否か判断する。ＣＰＵ８２は、ステップＳ１において現在時刻が設定時刻であると判断すると（ステップＳ１；Ｙｅｓ）、食品データ格納部８３２の卵情報テーブル８３２ｂに格納されたデータを読み出す（ステップＳ２）。ステップＳ３において、ＣＰＵ８２は、読み出したデータに基づいて、卵ホルダーＮｏ．ｎ（初期値ｎ＝１）について、タイマー６１により計時された、当該卵ホルダーＮｏ．ｎに収納される卵が新たに収納されたと判断されたときからの経過時間が、食品データ格納部８３２に登録された卵の賞味期限を超えたか否かを判断する。ＣＰＵ８２は、ステップＳ３において、卵ホルダーＮｏ．ｎの卵の経過時間が、賞味期限を超えたと判断すると（ステップＳ３；Ｙｅｓ）、卵ホルダーＮｏ．ｎに対応する期限通知済フラグが「０」にリセットされているか否かを判断する（ステップＳ４）。ＣＰＵ８２は、ステップＳ４において、卵ホルダーＮｏ．ｎ期限通知済フラグが「０」にリセットされていると判断すると、当該卵ホルダーＮｏ．ｎの番号ｎを一時的にＲＡＭ８３１に記憶させる（ステップＳ５）。ＣＰＵ８２は、ステップＳ３において、卵ホルダーＮｏ．ｎの卵の経過時間が、賞味期限を超えないと判断すると（ステップＳ３；Ｎｏ）、ステップＳ６に進む。また、ＣＰＵ８２は、ステップＳ４において、卵ホルダーＮｏ．ｎ期限通知済フラグが「０」にリセットされていないと判断すると（ステップＳ４；Ｎｏ）、ステップＳ６に進む。
次に、ＣＰＵ８２は、卵ホルダーの番号ｎをインクリメントさせ（ステップＳ６）、卵ホルダーの番号ｎがｎ＝１３であるか否か判断する（ステップＳ７）。ＣＰＵ８２は、ステップＳ７において、ｎ＝１３でないと判断した場合には（ステップＳ７；Ｎｏ）、ステップＳ３に戻る。一方、ＣＰＵ８２は、ステップＳ７において、ｎ＝１３であると判断した場合には（ステップＳ７；Ｙｅｓ）、ステップＳ５においてＲＡＭ８３１に一時的に記憶した番号ｎの卵ホルダーに収納される卵の賞味期限が切れた旨の期限通知メールを、サーバ２００を介して携帯電話機３００に送信し（ステップＳ８）、さらに、賞味期限が切れた旨の期限通知メールを送信したＮｏ．ｎの卵ホルダーに対応する期限通知済フラグを「１」にセットして（ステップＳ９）、本処理を終了する。
【００５６】
次に、ＣＰＵ８２によって実行されるドリンクの経過通知情報送信動作処理について、図１２を用いて説明する。
ドリンクの経過通知情報送信動作処理は、ＣＰＵ８２が、収納判断プログラム８４ｂ、計時プログラム８４ｃ、経過時間判断プログラム８４ｄ及び経過通知情報送信プログラム８４ｅを実行することにより行われる。
なお、本ドリンクの経過通知情報送信動作処理は、ドリンクホルダーＡを例に挙げて説明する。
【００５７】
まず、ＣＰＵ８２は、ステップＳ１１において、タイマー６１により計時される現在時刻が設定時刻（例えば、午朝１０時）であるか否か判断する。ＣＰＵ８２は、ステップＳ１１において現在時刻が設定時刻であると判断すると（ステップＳ１１；Ｙｅｓ）、食品データ格納部８３２のドリンク情報テーブル８３２ｃに格納されたデータを読み出す（ステップＳ１２）。ステップＳ１３において、ＣＰＵ８２は、読み出したデータに基づいて、タイマー６１により計時された、ドリンクホルダーＡのドリンクが新たに収納されたと判断されたときからの経過時間が、食品データ格納部８３２の食品情報登録テーブル８３２ａに登録された当該ドリンクホルダーＡのドリンクの賞味期限を超えたか否かを判断する。ＣＰＵ８２は、ステップＳ１３において、ドリンクホルダーＡのドリンクの経過時間が、賞味期限を超えないと判断すると（ステップＳ１３；Ｎｏ）、本処理を終了する。
一方、ＣＰＵ８２は、ステップＳ１３において、ドリンクホルダーＡのドリンクの経過時間が、賞味期限を超えたと判断すると（ステップＳ１３；Ｙｅｓ）、ドリンクホルダーＡの期限通知済フラグが「０」にリセットされているか否かを判断する（ステップＳ１４）。ＣＰＵ８２は、ステップＳ１４において、ドリンクＡ期限通知済フラグが「０」にリセットされていないと判断すると（ステップＳ１４；Ｎｏ）、本処理を収納する。
一方、ＣＰＵ８２は、ステップＳ１４において、ドリンクＡ期限通知済フラグが「０」にリセットされていると判断すると（ステップＳ１４；Ｙｅｓ）、ドリンクホルダーＡのドリンクの賞味期限が切れた旨の期限通知メールを、サーバ２００を介して携帯電話機３００に送信し（ステップＳ１５）、さらに、ドリンクホルダーＡの期限通知済フラグを「１」にセットして（ステップＳ１６）、本処理を終了する。
【００５８】
次に、ＣＰＵ８２によって実行される卵の残数僅少通知情報送信動作処理について、図１３を用いて説明する。
なお、卵の残数通知情報送信動作処理は、ＣＰＵ８２が、計測制御プログラム８４ａ、収納判断プログラム８４ｂ、第１判断プログラム８４ｆ、算出プログラム８４ｇ、第２判断プログラム８４ｈ、を実行することにより行われる。
【００５９】
ステップＳ２１において、ＣＰＵ８２は、扉検出部２により扉１ａの開動が検出されたか否かを判断する。ＣＰＵ８２は、ステップＳ２１において、扉１ａの開動が検出されたと判断すると（ステップＳ２１；Ｙｅｓ）、続いて、扉１ａの閉動が検出されたか否かを判断する（ステップＳ２２）。ＣＰＵ８２は、ステップＳ２２において、扉１ａの閉動が検出されたと判断すると（ステップＳ２２；Ｙｅｓ）、卵ホルダーＮｏ．１〜Ｎｏ．１２の各卵ホルダーに備わる卵センサＮｏ．１〜Ｎｏ．１２により、それぞれの卵ホルダーに収納される卵の重量を計測させ（ステップＳ２３）、当該計測された卵ホルダー毎の重量データを取得する。次にＣＰＵ８２は、取得した卵ホルダー毎の卵の重量データに基づいて、卵ホルダーＮｏ．ｎ（初期値ｎ＝１）の卵の重量が所定重量範囲内（例えば、４５ｇ以上８０ｇ未満）であるか否かを判断する（ステップＳ２４）。ＣＰＵ８２は、ステップＳ２４において、卵ホルダーＮｏ．ｎの卵の重量が所定重量範囲内（例えば、４５ｇ以上８０ｇ未満）であると判断すると（ステップＳ２４；Ｙｅｓ）、当該卵ホルダーには卵が有ると判断し、扉１ａの開閉日時データ及び卵ホルダー番号と対応づけて、卵が有る旨を食品データ格納部８３２の卵情報テーブル８３２ｂに記録する（ステップＳ２５）。一方、ＣＰＵ８２は、卵ホルダーＮｏ．ｎの卵の重量が所定重量範囲内でないと判断すると（ステップＳ２４；Ｎｏ）、当該卵ホルダーには卵が無いと判断し、扉１ａの開閉日時データ及び卵ホルダー番号と対応づけて、卵が無い旨を食品データ格納部８３２の卵情報テーブル８３２ｂに記録する（ステップＳ２６）。ここで、ＣＰＵ８２は、前回の卵情報テーブル８３２ｂにおいて卵が無いと記録された卵ホルダーについて、４５ｇ以上の重量が検出された場合には、新たな卵が収納されたと判断して、タイマー６１により経過時間の計時を開始させる。
次に、ＣＰＵ８２は、卵ホルダーの番号ｎをインクリメントし（ステップＳ２７）、卵ホルダーの番号ｎがｎ＝１３であるか否かを判断する（ステップＳ２８）。ステップＳ２８において、ＣＰＵ８２は、ｎ＝１３でないと判断した場合には（ステップＳ２８；Ｎｏ）、ステップＳ２４に戻る。一方、ＣＰＵ８２は、ｎ＝１３であると判断した場合には（ステップＳ２８；Ｙｅｓ）、ステップＳ２９に進む。
【００６０】
ステップＳ２９において、ＣＰＵ８２は、卵情報テーブル８３２ｂに記録されたデータに基づいて、卵の合計個数を算出する。ＣＰＵ８２は、ステップＳ２９において算出した合計個数が、食品データ格納部８３２の食品情報登録テーブル８３２ａに登録された設定個数（例えば、３個）より少ないか否かを判断する（ステップＳ３０）。ＣＰＵ８２は、ステップＳ３０において、合計個数が設定個数よりも多いと判断すると（ステップＳ３０；Ｎｏ）、本処理を終了する。一方、ステップＳ３０において、ＣＰＵ８２は、合計個数が設定個数よりも少ないと判断すると（ステップＳ３０；Ｙｅｓ）、続いて、残数僅少通知済フラグが「０」にリセットされているか否か判断する（ステップＳ３１）。ＣＰＵ８２は、ステップＳ３１において、残数僅少通知済フラグが「０」にリセットされていないと判断すると（ステップＳ３１；Ｎｏ）、本処理を終了する。一方、ＣＰＵ８２は、ステップＳ３１において、残数僅少通知済フラグが「０」にリセットされていると判断すると（ステップＳ３１；Ｙｅｓ）、残数僅少通知メールを、サーバ２００を介して、携帯電話機３００に送信し（ステップＳ３２）、残数僅少通知済フラグを「１」にセットして（ステップＳ３３）、本処理を終了する。
【００６１】
次に、ＣＰＵ８２によって実行されるドリンクの空・残量僅少通知情報送信動作処理について、図１４を用いて説明する。
ドリンクの空・残量僅少通知情報送信動作処理は、ＣＰＵ８２が、計測制御プログラム８４ａ、収納判断プログラム８４ｂ、重量判断プログラム８４ｉ、変化通知情報送信プログラム８４ｊ、収納誘導プログラム８４ｋを実行することにより行われる。
なお、本空・残量僅少通知情報送信動作処理は、ドリンクホルダーＡを例に挙げて説明する。
【００６２】
まず、ＣＰＵ８２は、ステップＳ４１において、空タイマーＡが作動中か否かを判断する。ステップＳ４１において、ＣＰＵ８２は、空タイマーＡが作動中でないと判断すると（ステップＳ４１；Ｎｏ）、ステップＳ５０に進む。一方、ステップＳ４１において、ＣＰＵ８２は、空タイマーＡが作動中であると判断すると（ステップＳ４１；Ｙｅｓ）、次に、ドリンクホルダーＡが空（重量５０ｇ未満）になってからの、空タイマーＡによりカウントされた時間が２０分未満であるか否かを判断する（ステップＳ４２）。ＣＰＵ８２は、ステップＳ４２において、空タイマーＡによりカウントされた時間が２０分未満であると判断すると（ステップＳ４２；Ｙｅｓ）、ＬＥＤａに速い点滅を行わせ（ステップＳ４３）、ステップＳ５０に進む。一方、ＣＰＵ８２は、ステップＳ４２において、２０分未満でないと判断すると（ステップＳ４２；Ｎｏ）、空タイマーＡによりカウントされた時間が６０分未満であるか否かを判断する（ステップＳ４４）。ＣＰＵ８２は、ステップＳ４４において、空タイマーＡによりカウントされた時間が６０分未満であると判断すると（ステップＳ４４；Ｙｅｓ）、ＬＥＤａに遅い点滅を行わせ（ステップＳ４５）、ステップＳ５０に進む。ＣＰＵ８２は、ステップＳ４４において、６０分未満でないと判断した場合には（ステップＳ４４；Ｎｏ）、ＬＥＤａを消灯し（ステップＳ４６）、続いて、空タイマーＡをリセットする（ステップＳ４７）。さらに、ＣＰＵ８２は、ホルダーＡについての空通知メールを、サーバ２００を介して携帯電話機３００に送信し（ステップＳ４８）、ステップＳ４９において、ホルダーＡ空通知済フラグを「１」にセットして、ステップＳ５０に進む。
【００６３】
ステップＳ５０において、ＣＰＵ８２は、扉検出部２により扉１ａの開動が検出されたか否かを判断する。ステップＳ５０において、ＣＰＵ８２は、扉１ａの開動が検出されたと判断すると（ステップＳ５０；Ｙｅｓ）、続いて、扉１ａの閉動が検出されたか否かを判断する（ステップＳ５１）。ＣＰＵ８２は、ステップＳ５１において、扉１ａの閉動が検出されたと判断すると（ステップＳ５１；Ｙｅｓ）、ドリンクホルダーＡに備わるドリンクセンサＡにより、ドリンクホルダーＡのドリンクの重量を計測し（ステップＳ５２）、当該計測されたドリンクホルダーＡのドリンクの重量データを取得する。次にＣＰＵ８２は、取得したドリンクホルダーＡのドリンクの重量データに基づいて、ドリンクホルダーＡのドリンクの重量が第１の設定重量範囲（例えば、５０ｇ以上）を外れたか否かを判断する（ステップＳ５３）。ＣＰＵ８２は、ステップＳ５３において、ドリンクホルダーＡのドリンクの重量が第２の設定重量範囲を外れたと判断すると（ステップＳ５３；Ｙｅｓ）、空タイマーＡが作動中であるか否かを判断する（ステップＳ５４）。ＣＰＵ８２は、ステップＳ５４において、空タイマーＡが作動中であると判断すると（ステップＳ５４；Ｙｅｓ）、ステップＳ４２に戻る。一方、ＣＰＵ８２は、ステップＳ５４において、空タイマーＡが作動中でないと判断すると（ステップＳ５４；Ｎｏ）、ドリンクホルダーＡの空通知済フラグが「１」にセットされているか否かを判断する（ステップＳ５５）。ＣＰＵ８２は、ステップＳ５５において、ドリンクホルダーＡの空通知済フラグが「１」にセットされていると判断すると（ステップＳ５５；Ｙｅｓ）、ステップＳ５０に戻る。一方、ＣＰＵ８２は、ステップＳ５５において、ドリンクホルダーＡの空通知済フラグが「１」にセットされていないと判断すると（ステップＳ５５；Ｎｏ）、空タイマーＡを作動させ（ステップＳ５６）、取得したドリンクホルダーＡのドリンクの重量を、扉１ａの開閉日時データと対応付けてドリンク情報テーブル８３２ｃに記録し（ステップＳ５７）、ステップＳ４２に戻る。
【００６４】
ステップＳ５３において、ＣＰＵ８２は、ドリンクホルダーＡのドリンクの重量が第１の設定重量範囲を外れていないと判断すると（ステップＳ５３；Ｎｏ）、空タイマーＡをリセットし（ステップＳ５８）、さらに、ドリンクホルダーＡの空通知済フラグを「０」にリセットして（ステップＳ５９）、ドリンクホルダーＡのドリンクの重量と、前回のドリンク情報テーブル８３２ｃの記録時におけるドリンクホルダーＡのドリンクの重量との比較において、重量変動があるか否かを判断する（ステップＳ６０）。ＣＰＵ８２は、ステップＳ６０において、重量変動がないと判断すると（ステップＳ６０；Ｎｏ）、ステップＳ５０に戻る。一方、ＣＰＵ８２は、ステップＳ６０において、重量変動があると判断すると（ステップＳ６０；Ｙｅｓ）、重量は増加したか否かを判断する（ステップＳ６１）。ＣＰＵ８２は、ステップＳ６１において、重量は増加したと判断すると（ステップＳ６１；Ｙｅｓ）、新たなドリンクが収納されたと判断して、ドリンク更新情報を記録し（ステップＳ６２）、ステップＳ６５に進む。一方、ＣＰＵ８２は、ステップＳ６１において、重量は増加していないと判断すると（ステップＳ６１；Ｎｏ）、ドリンクホルダーＡのドリンクの重量が第２の設定重量範囲（例えば、２００ｇ以上）を外れたか否かを判断する（ステップＳ６３）。ＣＰＵ８２は、ステップ６３において、ドリンクホルダーＡのドリンクの重量が第２の設定重量範囲を外れていないと判断すると（ステップＳ６３；Ｎｏ）、ステップＳ６５に進み、一方、ドリンクホルダーＡのドリンクの重量が第２の設定重量範囲を外れたと判断すると（ステップＳ６３；Ｙｅｓ）、ホルダーＡについての残量僅少通知メールを、サーバ２００を介して、携帯電話機３００に送信する（ステップＳ６４）。ステップ６５において、ＣＰＵ８２は、取得したドリンクホルダーＡのドリンクの重量を、扉１ａの開閉日時データと対応付けてドリンク情報テーブル８３２ｃに記録し、ステップＳ５０に戻る。
【００６５】
以上説明した本発明にかかる冷蔵庫１００によれば、ＣＰＵ８２による収納判断プログラム８４ｂの実行により、重量検出部５の卵センサ５１により計測された卵の重量に基づいて、新たな卵が卵収納ホルダー４１に収納されたか否かが判断され、経過時間判断プログラム８４ｄの実行により、新たな卵が卵収納ホルダー４１に収納されたと判断されてからの経過時間が予め食品情報格納テーブルに登録された卵の賞味期限を超えたか否かが判断され、さらに、経過時間判断プログラム８４ｄの実行により経過時間が賞味期限を超えたと判断された場合には、経過通知情報送信プログラム８４ｅの実行により、携帯電話機３００に賞味期限が切れた旨の期限通知メールが送信される。
また、ＣＰＵ８２による収納判断プログラム８４ｂの実行により、重量検出部５のドリンクセンサ５２により計測されたドリンクの重量に基づいて、新たなドリンクがドリンク収納ホルダー４２に収納されたか否かが判断され、経過時間判断プログラム８４ｄの実行により、新たなドリンクがドリンク収納ホルダー４２に収納されたと判断されてからの経過時間が予め食品情報登録テーブル８３２ａに登録された当該ドリンクの賞味期限を超えたか否かが判断され、さらに、経過時間判断プログラム８４ｄの実行により経過時間が賞味期限を超えたと判断された場合には、経過通知情報送信プログラム８４ｅの実行により、携帯電話機３００に賞味期限が切れた旨の期限通知メールが送信される。
従って、新たな卵及びドリンク等の食品を収納する際に賞味期限等のデータを入力することなく在庫管理が行われることとなって、ユーザは、簡便な方法で冷蔵庫１００における在庫管理を行うことができる。
【００６６】
また、ＣＰＵ８２による第１判断プログラム８４ｆの実行により、卵センサＮｏ．１〜Ｎｏ．１２により計測された卵ホルダー毎の卵の重量に基づいて、卵ホルダー毎の収納物の有無が判断され、算出プログラム８４ｇの実行により、卵ホルダー毎の卵の有無に基づいて卵の合計個数が算出され、さらに、第２判断プログラム８４ｈの実行により、算出プログラム８４ｇにより算出された卵の合計個数が予め食品情報登録テーブル８３２ａに登録された設定個数より少ないと判断された場合に、変化通知情報送信プログラム８４ｊにより、卵の合計個数が設定個数より少ない旨の残数僅少通知メールが携帯電話機３００に送信されるので、ユーザは、遠隔地においても、当該残数僅少通知メールにより、卵の合計個数が予め設定された設定個数よりも少ないことを把握することができる。
【００６７】
また、ＣＰＵ８２による重量判断プログラム８４ｉの実行により、重量検出部５のドリンクセンサ５２により計測されたにドリンク収納ホルダー４２のドリンクの重量が予め設定された設定重量範囲から外れたと判断された場合に、変化通知情報送信プログラム８４ｊの実行により、ドリンクの重量が予め設定された設定重量範囲から外れた旨の空通知メール又は残量僅少通知メールが携帯電話機３００に送信されるので、ユーザは、遠隔地においても、当該空通知メール又は残量僅少通知メールにより、ドリンクの重量が予め設定された設定重量範囲から外れたことを把握することができる。  
【００６８】
さらに、ＣＰＵ８２による収納誘導プログラム８４ｋの実行により、ユーザがドリンクをドリンクホルダーに収納するための誘導が、ＬＥＤ７１により行われるので、ユーザはドリンクを適切な位置に収納することが可能となって、在庫管理をより確実に行うことができる。
【００６９】
なお、本発明は、上記実施の形態に限定されることなく、本発明を逸脱しない範囲において、種々の改良並びに設計の変更を行っても良い。
例えば、本発明は、物品保存庫として冷蔵庫１００を例示したが、例えば、金庫、倉庫、ショーケース、押入、クローゼット等、物品を収納或いは保存するものであれば、どのようなものであっても良い。
また、冷蔵庫１００に収納する収納物として食品を用いて説明し、さらに、食品としてドリンクを用いて説明したが、収納物はこれに限られず、冷蔵庫に収納される物品であれば良い。
また、端末装置として携帯電話機３００を用いて説明したが、端末装置は、例えば、ＰＣ（Personal Computer）等であっても良い。
また、収納誘導部として、ＬＥＤの点滅、或いは蓋を例示したが、これ以外にも、例えば、ＬＣＤによる表示など、収納物の収納場所に誘導できる構成であればどのような構造であってもよい。
また、重量検出部５として、静電容量方式による重量センサを例示したが、例えば、ロードセル式や、電磁力平衡方式等による重量センサであってもよい。
【図面の簡単な説明】
【００７０】
【図１】電気通信回線により接続された冷蔵庫、サーバ及び携帯電話機の全体構成を説明するための図である。
【図２】冷蔵庫の冷蔵庫本体の扉を開いた状態の斜視図である。
【図３】冷蔵庫の冷蔵庫本体の扉を閉じた状態の正面図である。
【図４】冷蔵庫の要部構成を示すブロック図である。
【図５】卵収納ホルダーの斜視図である。
【図６】ドリンク収納ホルダーの斜視図である。
【図７】収納誘導部に備わる蓋を例示した図である。
【図８】食品情報テーブルを例示した図である。
【図９】卵情報テーブルを例示した図である。
【図１０】ドリンク情報テーブルを例示した図である。
【図１１】ＣＰＵによって実行される卵の経過通知情報送信動作処理のフローチャートである。
【図１２】ＣＰＵによって実行されるドリンクの経過通知情報送信動作処理のフローチャートである。
【図１３】ＣＰＵによって実行される卵の残数僅少通知情報送信動作処理のフローチャートである。
【図１４】ＣＰＵによって実行されるドリンクの空・残量僅少通知情報送信動作処理のフローチャートである。
【符号の説明】
【００７１】
１００          冷蔵庫(物品保存庫)
３００          携帯電話機（端末装置）
１              冷蔵庫本体（物品保存庫本体）
１ａ            扉
２              扉検出部（扉閉動検出手段）
４              収納部
４１            卵収納ホルダー（卵収納部）
４１ａ〜４１ｌ  卵ホルダーＮｏ．１〜Ｎｏ．１２（個別収納部）
５              重量検出部（計測手段）
５１            卵センサ（卵計測手段、個別計測手段）
６１            タイマー（計時手段）
７              収納誘導部（収納誘導手段）
８２            ＣＰＵ（計測制御手段、収納判断手段、計時手段、変化判断手段、経過時間判断手段、経過通知情報送信手段、第１判断手段、算出手段、第２判断手段、重量判断手段、変化通知情報送信手段、収納誘導手段）
８４ａ          計測制御プログラム（計測制御手段）
８４ｂ          収納判断プログラム（収納判断手段）
８４ｃ          計時プログラム（計時手段）
８４ｄ          経過時間判断プログラム（経過時間判断手段）
８４ｅ          経過通知情報送信プログラム（経過通知情報送信手段）
８４ｆ          第１判断プログラム（第１判断手段、変化判断手段）
８４ｇ          算出プログラム（算出手段、変化判断手段）
８４ｈ          第２判断プログラム（第２判断手段、変化判断手段）
８４ｉ          重量判断プログラム（重量判断手段）
８４ｊ          変化通知情報送信プログラム（変化通知情報送信手段）
８４ｋ          収納誘導プログラム（収納誘導手段）
【図１】
2007113818.tif 000003
【図２】
2007113818.tif 000004
【図３】
2007113818.tif 000005
【図４】
2007113818.tif 000006
【図５】
2007113818.tif 000007
【図６】
2007113818.tif 000008
【図７】
2007113818.tif 000009
【図８】
2007113818.tif 000010
【図９】
2007113818.tif 000011
【図１０】
2007113818.tif 000012
【図１１】
2007113818.tif 000013
【図１２】
2007113818.tif 000014
【図１３】
2007113818.tif 000015
【図１４】
2007113818.tif 000016